(57)【特許請求の範囲】
【請求項１】
バッテリの装填・取り出し用の開口が機器本体に設けられるとともに、前記開口を開閉するカバーが機器本体に設けられ、前記カバーは、前記開口を塞いだ状態で機器本体に係止するロック位置と、前記ロック位置からスライド操作されて機器本体との係止が解除されるロック解除位置との間で移動自在で、かつ前記ロック解除位置に移動した後に、前記開口を開放してバッテリの装填・取り出しを可能にする開放位置に回動する携帯型電子機器において、
前記カバーの回動軸が挿通され、前記ロック位置から前記ロック解除位置を経由して前記バッテリの取り出し経路内まで延びるガイド溝と、
根元側が機器本体に固定され、先端側に向かって互いに逆向きに傾斜した第一及び第二斜面を連ねた板状のクリックバネとを備え、
前記カバーを前記ロック解除位置からさらにスライドして前記ガイド溝内の前記回動軸を移動させると、前記カバーの軸受け部が前記バッテリの取り出し経路内に入り込む取り出し準備位置に前記カバーが移動し、前記取り出し準備位置で前記カバーを開き方向に回動すると、前記軸受け部が前記クリックバネの先端側の第二斜面によって押圧されて、前記軸受け部が前記取り出し準備位置から移動しないように前記回動軸の移動が規制され、この状態で前記カバーを押圧して前記回動軸を前記クリックバネの根本側に移動させると、前記バッテリの装填・取り出しが可能となる開放位置に前記カバーが移動し、前記カバーが前記開放位置に移動すると、前記クリックバネの根元側の第一斜面によって、前記軸受け部が前記取り出し準備位置に戻らないように前記回動軸の移動が規制されることを特徴とする携帯型電子機器。
【発明の詳細な説明】
【技術分野】
【０００１】
本発明は、装填されたバッテリから供給される電力を利用して駆動される携帯型電子機器に関するものである。
【背景技術】
【０００２】
例えばデジタルカメラなどの携帯型電子機器では、その電源として着脱自在なバッテリーパックが機器本体に装填され、装填されたバッテリーパックからの電力を利用して駆動される。バッテリーパックを用いる携帯型電子機器では、バッテリーパックの装填・取り出しを行う開口が機器本体に形成されており、この開口を塞ぐカバーを開放して機器本体からバッテリーパックを取り出すものが殆どである。しかし、バッテリーパックが例えば機器本体の下方から装填される場合、カバーを開放するとバッテリーパックが機器本体から脱落してしまうおそれがある。このため、これを防止するために、例えば特許文献１で示されているような脱落防止用の爪をバッテリーパックの機器本体内に設けることが考えられる。これにより、カバーを開放したときに、不用意にバッテリーパックを脱落させてしまうことを防止でき、落下の衝撃などによるバッテリーパックの破損を防止できる。
【特許文献１】特開平８−３２９９１８号公報
【発明の開示】
【発明が解決しようとする課題】
【０００３】
しかし、上記のような爪を機器本体に設けることは、携帯型電子機器のコストアップにつながり、また、バッテリーパックと爪とが干渉しないようにバッテリーパックを装填する必要が生じて、その作業に手間がかかるという問題がある。
【０００４】
本発明は上記解決するためになされたものであり、バッテリを機器本体から取り出す際に不用意に落下させてしまうことを防止できる携帯型電子機器を提供することを目的とする。
【課題を解決するための手段】
【０００９】
上記目的を達成するために請求項１記載の携帯型電子機器は、バッテリの装填・取り出し用の開口が機器本体に設けられるとともに、前記開口を開閉するカバーが機器本体に設けられ、前記カバーは、前記開口を塞いだ状態で機器本体に係止するロック位置と、前記ロック位置からスライド操作されて機器本体との係止が解除されるロック解除位置との間で移動自在で、かつ前記ロック解除位置に移動した後に、前記開口を開放してバッテリの装填・取り出しを可能にする開放位置に回動する携帯型電子機器において、前記カバーの回動軸が挿通され、前記ロック位置から前記ロック解除位置を経由して前記バッテリの取り出し経路内まで延びるガイド溝と、根元側が機器本体に固定され、先端側に向かって互いに逆向きに傾斜した第一及び第二斜面を連ねた板状のクリックバネとを備え、前記カバーを前記ロック解除位置からさらにスライドして前記ガイド溝内の前記回動軸を移動させると、前記カバーの軸受け部が前記バッテリの取り出し経路内に入り込む取り出し準備位置に前記カバーが移動し、前記取り出し準備位置で前記カバーを開き方向に回動すると、前記軸受け部が前記クリックバネの先端側の第二斜面によって押圧されて、前記軸受け部が前記取り出し準備位置から移動しないように前記回動軸の移動が規制され、この状態で前記カバーを押圧して前記回動軸を前記クリックバネの根本側に移動させると、前記バッテリの装填・取り出しが可能となる開放位置に前記カバーが移動し、前記カバーが前記開放位置に移動すると、前記クリックバネの根元側の第一斜面によって、前記軸受け部が前記取り出し準備位置に戻らないように前記回動軸の移動が規制されるものである。なお、バッテリの装填・取り出し用の開口は機器本体の底面に形成されていることがバッテリの装填・取り出しを効率的に行ううえで好ましい。
【発明の効果】
【００１３】
本発明の携帯型電子機器は、バッテリを段階的に機器本体から取り出すことが可能になり、バッテリを機器本体から取り出す際に不用意に落下させてしまうことを防止できる。
【００１４】
また、カバーが不用意に開放位置に移動する、あるいは、カバーが不用意に取り出し準備位置に戻ることを防止でき、バッテリの装填・取り出し作業の際に利便性を向上させることができる。
【発明を実施するための最良の形態】
【００１５】
図１に示すように、デジタルカメラ（携帯型電子機器）２の本体（機器本体）３の前面には、ストロボ発光部４及びレンズ鏡筒５が設けられており、レンズ鏡筒５には撮影レンズ６とレンズバリア７とが組み込まれている。さらに、本体３の前面にはファインダ８が設けられ、本体３の上面にはレリーズボタン９が設けられている。
【００１６】
本体３の底面にはカバー１０が設けられている。カバー１０は、バッテリーパック１２の装填・取り出し用の開口２４（図２参照）を開閉する。カバー１０は、開口２４を塞いだ状態で本体３に係止するロック位置（図３に示す位置）と、ロック位置からスライド操作されて本体３との係止が解除されるロック解除位置（図４に示す位置）との間で移動自在になっている。また、カバー１０は、ロック解除位置に移動した後に、開口２４を開放してバッテリーパック１２の装填・取り出しを可能にする開放位置（図６に示す位置）に回動させることができる。バッテリーパック１２は接点１３を備えており、バッテリーパック１２が装填されると接点１３が本体３内の接点と導通して本体３に電力が供給される。これにより、本体３を駆動させることが可能になる。
【００１７】
図２に示すように、本体３内にはバッテリ装填装置２０が設けられている。バッテリ装填装置２０は、ベース部材２１、カバー１０、板状のクリックバネ（回動規制手段）２２を備えている。
【００１８】
ベース部材２１は箱形に形成されており、その一部にバッテリーパック１２の装填室２３が形成されている。ベース部材２１の底面の一部には開口２４が形成されており、開口２４は装填室２３に連通している。装填室２３には開口２４からバッテリーパック１２が装填される。カバー１０がロック位置に位置するときには、開口２４はカバー１０によって塞がれる。
【００１９】
ベース部材２１の側壁には、互いに対向する一対の溝２５が形成されている。溝２５は直線状に形成されており、装填室２３の側方から装填室２３に向けて水平に延びている。
【００２０】
溝２５にはカバー１０の軸（回動軸）２６が挿通される。カバー１０の根元側には、バッテリーパック１２の装填方向（図中矢印Ｂ方向）に突出した軸受け部１０ａが形成されている。軸受け部１０ａの上端は円弧状に形成されている。軸受け部１０ａには、その両側面に貫通した挿通孔１０ｂが形成されている。軸２６は、ベース部材２１の内部で挿通孔１０ｂに挿通され、その両端部が溝２５によって支持される。これにより、カバー１０は軸２６を中心に回動し、かつ溝２５に沿ってスライドする。
【００２１】
ベース部材２１の底面には、溝２５よりも装填室２３から離れた位置に円筒状のリブ２７が設けられている。リブ２７の上端面にはクリックバネ２２の根元側がネジ２８によって取り付けられる。クリックバネ２２がリブ２７に取り付けられると、その先端側が装填室２３に向けて突出する。クリックバネ２２の先端部には、バッテリーパック１２の取り出し方向側に突出する爪２２ａが設けられている。爪２２ａは略くの字形に形成されており、先端側に向かって互いに逆向きに傾斜した第一斜面２２ｂと第二斜面２２ｃとからなる。第一斜面２２ｂが根元側、第二斜面２２ｃが先端側に形成されている。
【００２２】
カバー１０の軸受け部１０ａには、その後端面に係止孔（第一係止部）１０ｃが形成されている。係止孔１０ｃは爪２２ａと略同一形状に形成されている。係止孔１０ｃに爪２２ａが嵌ると、カバー１０とクリックバネ２２とが弾性係合する。これにより、カバー１０は、ロック解除位置から開放位置に向かって回動する途中の取り出し準備位置（図５に示す位置）でその開き方向への回動が規制される。また、係止孔１０ｃの下方には係止面（第二係止部）１０ｄが形成されている。係止面１０ｄは、軸受け部１０ａの後端面を面取りすることによって形成されている。係止面１０ｄは、カバー１０が開放位置に位置するときにクリックバネ２２の第二斜面２２ｃによって押圧される。これにより、カバー１０は開放位置から取り出し準備位置への回動が規制される。
【００２３】
カバー１０は、その先端側が内面側に突出するように略Ｌの字形に折り曲げられている。そして、その折り投げられた部分がバッテリ保持部１０ｅとなっている。バッテリ保持部１０ｅは、取り出し準備位置にカバー１０が位置するときに落下するバッテリーパック１２を受け止める。また、カバー１０には、バッテリ保持部１０ｅからカバー１０の軸２６側に突出した係止爪１０ｆが形成されている。ベース部材２１の側壁で係止爪１０ｆと対峙する部分には、係止孔２１ａが形成されている。カバー１０がロック位置に位置する状態では係止爪１０ｆが係止孔２１ａに係止する。これにより、カバー１０はロック位置で保持される。
【００２４】
なお、カバー１０の内面にはバネ２９が取り付けられており、装填されたバッテリーパック１２はバネ２９によって装填方向に付勢される。これにより、バッテリーパック１２を装填したときに、接点１３と本体３内の接点とが確実に接触するようになっている。
【００２５】
次に、上記構成による作用について図３〜図６を用いて説明する。なお、図４〜図６では図面が煩雑になるのを防ぐためにバネ２９の図示を省略している。
【００２６】
図３に示すように、本体３にバッテリーパック１２が装填された状態では、カバー１０はロック位置に位置する。この状態では、カバー１０は、ベース部材２１の開口２４を塞ぐとともに、その軸２６が爪２２ａよりもクリックバネ２２の根元側に位置する。
【００２７】
図４に示すように、本体３からバッテリーパック１２を取り出すには、先ず、カバー１０をロック位置からロック解除位置に向けてスライド操作する。カバー１０をスライド操作すると、軸受け部１０ａが爪２２ａを押し上げた後に爪２２ａよりもクリックバネ２２の先端側に移動する。これにより、係止孔２１ａと係止爪１０ｆとの係止が解除され、カバー１０はロック解除位置に移動する。このとき、軸受け部１０ａが爪２２ａを押し上げたときの感触（クリック感）によって、カバー１０がロック位置からロック解除位置に移動したことを識別させることができる。
【００２８】
図５に示すように、カバー１０をロック解除位置に移動させた後は、カバー１０を開き方向（バッテリーパック１２の取り出し方向側）に回動させる。カバー１０を回動させると、カバー１０は取り出し準備位置に移動する。これにより、爪２２ａが係止孔１０ｃに弾性係合し、カバー１０のバッテリ保持部１０ｅがバッテリーパック１２の取り出し経路上に入り込む。カバー１０が取り出し準備位置に移動するとバッテリーパック１２が自重で装填室２３から落下する。このとき、バッテリーパック１２はバッテリ保持部１０ｅによって受け止められてその落下が阻まれる。これにより、カバー１０を開放したときに、不用意にバッテリーパック１２が落下することを防止できる。また、爪２２ａが係止孔１０ｃに弾性係合したときの感触によって、カバー１０がロック解除位置から取り出し準備位置に移動したことを識別できる。
【００２９】
図６に示すように、カバー１０を取り出し準備位置から開き方向に回動させると、爪２２ａと係止孔１０ｃとの弾性係合が解除される。この状態から、さらにカバー１０を回動させると、バッテリ保持部１０ｅがバッテリーパック１２の取り出し経路上から退避して、カバー１０が開放位置に移動する。これにより、バッテリーパック１２を装填室２３から取り出すことができる。このとき、カバー１０の係止面１０ｄが爪２２ａの第二斜面２２ｃによって押圧され、カバー１０は開放位置で弾性保持される。
【００３０】
バッテリーパック１２を装填する場合は、バッテリーパック１２を装填室２３に装填した後に、カバー１０を、開放位置→取り出し準備位置→ロック解除位置を経るように回動させ、ロック解除位置からロック位置に向けてカバー１０をスライド操作する。これにより、係止爪１０ｆが係止孔２１ａに係止して、カバー１０がロック位置で保持される。
【００３１】
次に、図７〜図１０を用いて第２の実施形態について説明する。なお、上記第１の実施形態と同一の機能を有する部材については、同一の符号を用いて説明を省略する。図７に示すように、第２の実施形態では、第１の実施形態で用いたカバー１０とは構成の異なるカバー４０が用いられている。
【００３２】
また、カバー４０では、カバー１０の係止孔１０ｃが設けられていない点がカバー１０と構成の異なる部分となっている。そして、カバー４０では、軸受け部１０ａと同一の軸受け部４０ａ及び係止爪１０ｆと同一の係止爪４０ｂ、係止面１０ｄと同一の係止面４０ｃが設けられている点がカバー１０と同一構成の部分となっている。また、軸２６が挿通される溝（ガイド手段）４１は、装填室２３の側方からバッテリーパック１２の下方まで延びている。
【００３３】
図７に示すように、本体３にバッテリーパック１２が装填された状態では、カバー４０はロック位置に位置する。この状態では、カバー４０は、ベース部材２１の開口２４を塞ぐとともに、その軸２６が爪２２ａよりもクリックバネ２２の根元側に位置する。
【００３４】
図８に示すように、本体３からバッテリーパック１２を取り出すには、先ず、カバー４０をロック位置からロック解除位置に向けてスライド操作する。カバー４０をスライド操作すると係止孔２１ａと係止爪４０ｂとの弾性係合が解除され、軸受け部４０ａがクリックバネ２２の爪２２ａを押し上げた後にカバー４０がロック解除位置に移動する。
【００３５】
図９に示すように、カバー４０をロック解除位置に移動させた後に、溝４１に沿ってカバー４０をさらにスライド操作すると軸２６及び軸受け部４０ａがバッテリーパック１２の取り出し経路上に入り込む。これにより、カバー４０は取り出し準備位置に移動する。取り出し準備位置でカバー４０を開き方向（バッテリーパック１２の取り出し方向側）に回動させると、クリックバネ２２の第二斜面２２ｃによって係止面４０ｃが押圧される。これにより、軸受け部４０ａの移動が規制され、軸受け部４０ａがバッテリーパック１２の取り出し経路上から外れないように軸２６の移動が規制される。カバー４０が取り出し準備位置に移動するとバッテリーパック１２が自重で装填室２３から落下するが、軸受け部４０ａがバッテリーパック１２の取り出し経路上に位置しているので、バッテリーパック１２は軸受け部４０ａによってその落下が阻まれる。これにより、カバー４０を開放したときに、不用意にバッテリーパック１２が落下することを防止できる。
【００３６】
図１０に示すように、カバー４０を取り出し準備位置に回動させた後は、軸２６が爪２２ａよりもクリックバネ２２の根元側に移動するようにクリックバネ２２の付勢力に抗してカバー４０を押圧する。これにより、カバー４０は、軸受け部４０ａがバッテリーパック１２の取り出し経路上から外れた元の位置に戻される。カバー４０が開放位置に移動すると、バッテリーパック１２を装填室２３から取り出すことができる。開放位置では、クリックバネ２２の第一斜面２２ｂが軸受け部４０ａの移動を規制することによって軸２６の移動を規制し、軸受け部４０ａが取り出し準備位置に戻らないようにする。これにより、カバー４０が不用意に取り出し準備位置に移動することが防止される。
【００３７】
次に、図１１〜図１５を用いて第３の実施形態について説明する。なお、上記第１の実施形態と同一の機能を有する部材については、同一の符号を用いて説明を省略する。図１１に示すように、第３の実施形態では、第２の実施形態と同一のカバー４０が用いられている。また、軸２６が挿通される溝４３は直線状に形成されている。溝４３は、装填室２３の側方まで延びている。
【００３８】
図１１に示すように、本体３にバッテリーパック１２が装填された状態では、カバー４０はロック位置に位置する。この状態では、カバー４０は、ベース部材２１の開口２４を塞ぐとともに、その軸２６が爪２２ａよりもクリックバネ２２の根元側に位置する。
【００３９】
図１２に示すように、本体３からバッテリーパック１２を取り出すには、先ず、カバー４０をロック位置からロック解除位置に向けてスライド操作する。カバー４０をスライド操作すると、軸受け部４０ａがクリックバネ２２の爪２２ａを押し上げた後に、軸２６が爪２２ａよりもクリックバネ２２の先端側に移動する。これにより、本体３と係止爪４０ｂとの係止が解除され、カバー４０はロック解除位置に移動する。
【００４０】
図１３に示すように、カバー４０をロック解除位置に移動させた後は、カバー４０を開き方向（バッテリーパック１２の取り出し方向側）に回動させる。これにより、カバー４０は取り出し準備位置に移動する。カバー４０が取り出し準備位置に回動するとバッテリーパック１２が自重で装填室２３から落下する。このとき、軸受け部４０ａの係止面４０ｃがクリックバネ２２の第二斜面２２ｃに押圧されて軸受け部４０ａがバッテリーパック１２に向けて付勢される。この状態では、軸受け部４０ａとバッテリーパック１２との間に摩擦力が生じるため、バッテリーパック１２の落下が阻まれる。これにより、カバー４０を開放したときに、不用意にバッテリーパック１２が落下することを防止できる。
【００４１】
図１４に示すように、カバー４０を取り出し準備位置から開き方向に回動すると、クリックバネ２２の第二斜面２２ｃによる係止面４０ｃへの押圧が解除される。これにより、カバー４０が開放位置に移動し、バッテリーパック１２を装填室２３から取り出すことができる。開放位置では第二斜面２２ｃによって軸受け部４０ａが押圧され、カバー１０が開放位置で弾性保持される。
【００４２】
次に、図１５〜図２０を用いて第４の実施形態について説明する。なお、上記第１の実施形態と同一の機能を有する部材については、同一の符号を用いて説明を省略する。図１５に示すように、第４の実施形態では、第１の実施形態で用いたカバー１０とは構成の異なるカバー４５が用いられている。カバー４５の両端部には略台形形状の側壁４５ａが設けられている。図１６に示すように、各々の側壁４５ａには、その互いに対向する面に凸部４５ｂが設けられている。また、バッテリーパック１２の側壁には、凸部４５ｂが係止する凹部１２ａが設けられている。凹部１２ａは、カバー４５のスライド方向に沿って２つ設けられている。カバー４５では、軸受け部１０ａと同一の軸受け部４５ｃ及び係止爪１０ｆと同一の係止爪４５ｄが設けられている点がカバー１０と同一構成の部分となっている。軸２６が挿通される溝４６は直線状に形成されている。溝４６は、装填室２３の側方まで延びている。
【００４３】
図１５及び図１６に示すように、本体３にバッテリーパック１２が装填された状態では、カバー４５はロック位置（図１５に示す位置）に位置する。この状態では、カバー４５は、ベース部材２１の開口２４を塞ぐとともに、その軸２６が爪２２ａよりもクリックバネ２２の根元側に位置する。また、カバー４５の凸部４５ｂはバッテリーパック１２の軸側の凹部１２ａに係止している。
【００４４】
図１７及び図１８に示すように、本体３からバッテリーパック１２を取り出すには、先ず、カバー４５をロック位置からロック解除位置に向けてスライド操作する。カバー４５をスライド操作すると、カバー４５の凸部４５ｂはバッテリーパック１２の先端側の凹部１２ａに係止する。これにより、本体３と係止爪４５ｄとの係止が解除され、カバー４５はロック解除位置（図１７に示す位置）に移動する。
【００４５】
図１９に示すように、カバー４５をロック解除位置に移動させた後は、カバー４５を開き方向（バッテリーパック１２の取り出し方向側）に回動させる。これにより、カバー４５は取り出し準備位置に移動する。取り出し準備位置では、カバー４５の凸部４５ｂとバッテリーパック１２の凹部１２ａとの係合によってバッテリーパック１２が装填室２３から引き出される。このとき、カバー４５の凸部４５ｂがバッテリーパック１２の凹部１２ａに係止しているため、不用意にバッテリーパック１２が落下することを防止できる。
【００４６】
図２０に示すように、カバー４５を取り出し準備位置から開き方向に回動させると、カバー４５の凸部４５ｂとバッテリーパック１２の凹部１２ａとの係合が解除されてカバー４５が開放位置まで回動する。カバー４５が開放位置に移動すると、バッテリーパック１２を装填室２３から取り出すことができる。
【００４７】
次に、図２１〜図２５を用いて第５の実施形態について説明する。図２１に示すように、本体３はバッテリ装填装置５０を備えている。バッテリ装填装置５０は、ベース部材５１、カバー５２を備えている。カバー５２は、カバー本体（カバー）５３とクリックバネ５４とから構成されている。カバー５２は、上記の各実施形態と同様に、ロック位置とロック解除位置との間でスライドし、また、ロック解除位置から開き方向に回動されると取り出し準備位置に移動する。取り出し準備位置からカバー５２を開き方向に回動させると、カバー５２は開放位置に移動する。
【００４８】
ベース部材５１は箱形に形成されており、その一部にバッテリーパック１２の装填室５５が形成されている。装填室５５の底面にはその一部に開口５６が形成されており、開口５６は装填室５５に連通している。装填室５５には開口５６からバッテリーパック１２が装填される。カバー５２がロック位置に位置するときには、開口５６はカバー１０によって覆われる。
【００４９】
ベース部材５１の側壁には、互いに対向する一対の孔５７が形成されている。孔５７は、装填室５５の近傍に配置されており孔５７には軸５８が挿通される。クリックバネ５４は根元側がロール状に屈曲されておりその中心部分に軸５８が挿通される。これにより、軸５８は、その両端部が孔５７によって支持された状態でクリックバネ５４を回動自在に保持する。
【００５０】
カバー本体５３は、その先端側が内面側に突出するように略Ｌの字形に折り曲げられている。そして、その折り投げられた部分がバッテリ保持部５３ａとなっている。詳しくは後述するようにバッテリ保持部５３ａは、取り出し準備位置にカバー本体５３が位置するときに落下するバッテリーパック１２を受け止める。また、カバー本体５３には、バッテリ保持部５３ａからカバー５２の軸側に突出した係止爪５３ｂが形成されている。ベース部材５１の側壁で係止爪５３ｂと対峙する部分には、係止孔５１ａが形成されている。カバー本体５３がロック位置に位置する状態では係止爪５３ｂが係止孔５１ａに係止する。これにより、カバー本体５３はロック位置で保持される。
【００５１】
カバー本体５３の両端には一対のレール５３ｃが形成されている。レール５３ｃはそれぞれ略Ｌ字形に形成されており、互いの先端が向き合っている。レール５３ｃを形成して出来た隙間にはクリックバネ５４が挿入される。これにより、カバー本体５３はクリックバネ５４にスライド自在に保持される。
【００５２】
クリックバネ５４には、その周囲を切り欠くことによって形成された爪５４ａが設けられている。爪５４ａは、バッテリーパック１２の取り出し方向（図中矢印Ｂ方向）側に突出するようにクリックバネ５４を略くの字形に折り曲げることによって形成されている。
【００５３】
また、カバー本体５３の上面でその中央部には、３つの係止孔５３ｄ〜５３ｆが形成されている。係止孔５３ｄ〜５３ｆは、爪５４ａと略同一形状に形成されており、爪５４ａが係止することが可能になっている。係止孔５３ｄ〜５３ｆは、カバー本体５３の長手方向に沿って、すなわち、カバー本体５３のスライド方向に沿って並べられている（クリックバネ５４の軸側が係止孔５３ｄ、真ん中が係止孔５３ｅ、クリックバネ５４の先端側が係止孔５３ｆ）。クリックバネ５４がレール５３ｃの隙間に挿入されると、爪５４ａが係止孔５３ｄ〜５３ｆに係止する。これにより、カバー本体５３とクリックバネ５４とが一体となる。
【００５４】
なお、カバー１０の内面にはバネ２９（図２２参照）が取り付けられており、装填されたバッテリーパック１２はバネ２９によって装填方向に付勢される。これにより、バッテリーパック１２を装填したときに、接点１３と本体３内の接点とが確実に接触するようになっている。
【００５５】
次に、上記構成による作用について図２２〜図２５を用いて説明する。なお、図２３〜図２５では図面が煩雑になるのを防ぐためにバネ２９の図示を省略している。
【００５６】
図２２に示すように、本体３にバッテリーパック１２が装填された状態では、カバー５２はロック位置（図２２に示す位置）に位置する。この状態では、カバー５２は、ベース部材５１の開口５６を塞いでおり、また、爪５４ａは係止孔５３ｃに係止している。
【００５７】
図２３に示すように、本体３からバッテリーパック１２を取り出すには、先ず、カバー本体５３をロック位置からロック解除位置にスライドさせる。カバー本体５３をスライドさせると爪５４ａが係止孔５３ｄに係止する。これに伴い、ベース部材５１と係止爪５３ｂとの係止が解除され、カバー５２はロック解除位置（図２３に示す位置）に移動する。
【００５８】
図２４に示すように、カバー５２をロック解除位置に移動させた後は、カバー５２を図中時計方向（バッテリーパック１２の取り出し方向側）に回動させる。カバー５２を回動させると、カバー１０は取り出し準備位置に移動する。取り出し準備位置ではカバー本体５３の後端が開口５６の縁に係止するため、カバー５２は取り出し準備位置で保持される。カバー５２が取り出し準備位置に移動するとバッテリーパック１２が自重で装填室５５から落下するが、このとき、バッテリーパック１２はバッテリ保持部５３ａによって受け止められてその落下が阻まれる。これにより、カバー５２を開放したときに、不用意にバッテリーパック１２が落下することを防止できる。
【００５９】
図２５に示すように、カバー５２を取り出し準備位置に回動させた後は、カバー本体５３をスライドさせ、爪５４ａを係止孔５３ｅに係止させる。これにより、カバー本体５３の後端と開口５６の縁との係止が解除され、カバー５２を開き方向に回動させることが可能になる。取り出し準備位置から開き方向にカバー５２を回動させると、バッテリ保持部５３ａがバッテリーパック１２の取り出し経路上から退避して、カバー５２が開放位置に位置した状態となる。これにより、バッテリーパック１２を装填室５５から取り出すことができる。
【００６０】
上記各実施形態では、バッテリーパック１２を取り出し方向側に付勢する付勢部材（例えばバネ）を設けなかったが、これを設けてもよい。これにより、本体３を水平にした状態でもバッテリーパック１２の取り出しを容易に行うことができる。
【産業上の利用可能性】
【００６１】
上記各実施形態では、携帯型電子機器としてデジタルカメラを例に説明したが、例えば、携帯電話、ノート型パーソナルコンピュータ、ＰＤＡなどの情報端末、携帯用音楽再生装置など、デジタルカメラ以外の携帯型電子機器にも本発明を適用できる。
【図面の簡単な説明】
【００６２】
【図１】デジタルカメラの外観を示す斜視図である。
【図２】バッテリー装填装置の分解斜視図である。
【図３】カバーがロック位置に位置する状態を示す装填室の断面図である。
【図４】カバーがロック解除位置に位置する状態を示す装填室の断面図である。
【図５】カバーが取り出し準備位置に位置する状態を示す装填室の断面図である。
【図６】カバーが開放位置に位置する状態を示す装填室の断面図である。
【図７】軸がバッテリーパックの取り出し経路上に入り込むカバーがロック位置に位置する状態を示す装填室の断面図である。
【図８】軸がバッテリーパックの取り出し経路上に入り込むカバーがロック解除位置に位置する状態を示す装填室の断面図である。
【図９】軸がバッテリーパックの取り出し経路上に入り込むカバーが取り出し準備位置に位置する状態を示す装填室の断面図である。
【図１０】軸がバッテリーパックの取り出し経路上に入り込むカバーが開放位置に位置する状態を示す装填室の断面図である。
【図１１】バッテリーパックに押し当てられるカバーがロック位置に位置する状態を示す装填室の断面図である。
【図１２】バッテリーパックに押し当てられるカバーがロック解除位置に位置する状態を示す装填室の断面図である。
【図１３】バッテリーパックに押し当てられるカバーが取り出し準備位置に位置する状態を示す装填室の断面図である。
【図１４】バッテリーパックに押し当てられるカバーが開放位置に位置する状態を示す装填室の断面図である。
【図１５】バッテリーパックに係止するカバーがロック位置に位置する状態を示す装填室の断面図である。
【図１６】バッテリーパックとカバーがロック位置で係止した状態を示すバッテリーパックの断面図である。
【図１７】バッテリーパックに係止するカバーがロック解除位置に位置する状態を示す装填室の断面図である。
【図１８】バッテリーパックとカバーがロック解除位置で係止した状態を示すバッテリーパックの断面図である。
【図１９】バッテリーパックに係止するカバーが取り出し準備位置に位置する状態を示す装填室の断面図である。
【図２０】バッテリーパックに係止するカバーが開放位置に位置する状態を示す装填室の断面図である。
【図２１】軸が固定されたカバーを用いた実施形態におけるバッテリー装填装置の分解斜視図である。
【図２２】軸が固定されたカバーを用いた実施形態において、カバーがロック位置に位置する状態を示す装填室の断面図である。
【図２３】軸が固定されたカバーを用いた実施形態において、カバーがロック解除位置に位置する状態を示す装填室の断面図である。
【図２４】軸が固定されたカバーを用いた実施形態において、カバーが取り出し準備位置に位置する状態を示す装填室の断面図である。
【図２５】軸が固定されたカバーを用いた実施形態において、カバーが開放位置に位置する状態を示す装填室の断面図である。
【符号の説明】
【００６３】
２  デジタルカメラ（携帯型電子機器）
３  本体（機器本体）
１０，４０，４５，５３  カバー
１０ａ，４０ａ  軸受け部
１０ｃ  係止孔
１０ｄ，４０ｂ，５３ａ  係止爪
１２  バッテリーパック（バッテリ）
２２，５４  クリックバネ
２２ａ  爪
２２ｂ  第一斜面
２２ｃ  第二斜面
２３，５５  装填室
２６，５８  軸
【図１】
0004744235.tif 000002
【図２】
0004744235.tif 000003
【図３】
0004744235.tif 000004
【図４】
0004744235.tif 000005
【図５】
0004744235.tif 000006
【図６】
0004744235.tif 000007
【図７】
0004744235.tif 000008
【図８】
0004744235.tif 000009
【図９】
0004744235.tif 000010
【図１０】
0004744235.tif 000011
【図１１】
0004744235.tif 000012
【図１２】
0004744235.tif 000013
【図１３】
0004744235.tif 000014
【図１４】
0004744235.tif 000015
【図１５】
0004744235.tif 000016
【図１６】
0004744235.tif 000017
【図１７】
0004744235.tif 000018
【図１８】
0004744235.tif 000019
【図１９】
0004744235.tif 000020
【図２０】
0004744235.tif 000021
【図２１】
0004744235.tif 000022
【図２２】
0004744235.tif 000023
【図２３】
0004744235.tif 000024
【図２４】
0004744235.tif 000025
【図２５】
0004744235.tif 000026